(57)【要約】【課題】高速なユーザデータ変換カードを増設しないでパケットの伝送レートを向上させることが可能なパケット伝送装置及びその制御方法を提供する。【解決手段】複数のチャネルCH1〜CHiの内の例えばチャネルCH1を介してパケットデータSDU1〜SDU3が入力された時、チャネルCH1〜CHiに共通して設けられた低速ユーザデータ変換カード310_1〜310_jの内、その出力伝送レートとパケットデータSDUの入力伝送レートとの比に対応する数分の低速ユーザデータ変換カード(例えば、310_１〜310_3)を抽出すると共に、パケットデータSDU1〜SDU3を、抽出した低速ユーザデータ変換カード310_１〜310_3に順次循環して分配する。低速ユーザデータ変換カード310_1〜310_3から出力される所定長のユーザデータPDU1_1〜PDU1_k、PDU2_1〜PDU2_l、及びPDU3_1〜PDU3_mを、HSDPA(High Speed Downlink Packet Access)方式のフレームFRに変換し、１つのチャネルHS-DSCH(High Speed Downlink Shared Channel)に多重化して出力する。【選択図】図6
2008042363.tif 000002
【特許請求の範囲】
【請求項１】
複数のチャネルに共通して所定の数設けられた第１変換手段と、
任意の１つのチャネルを介してパケットデータが入力された時、該第１変換手段の内、その出力伝送レートと該パケットデータの入力伝送レートとの比に対応する数分だけ抽出すると共に、該パケットデータを、該抽出した第１変換手段に順次循環して分配する分配手段と、
各第１変換手段から出力される所定長のユーザデータを、１つのチャネルに多重化して出力する多重手段と、
を備え、各第1変換手段が、該分配手段によって分配されたパケットデータを該ユーザデータに分割して出力するものであることを特徴とするパケット伝送装置。
【請求項２】
請求項１において、
該分配手段が、該比に対応する数分の第１変換手段を、そのリソース使用量が少ないものから順に抽出すると共に、該抽出した第１変換手段のリソース残量が該パケットデータ中に指定された伝送量より大きい時、該分配を行うことを特徴としたパケット伝送装置。
【請求項３】
請求項１において、
該分配手段が、該比に対応する数分の第１変換手段を、そのリソース使用量が少ないものから順に抽出すると共に、該抽出した第１変換手段のリソース残量の合計が該パケットデータ中に指定された伝送量より大きく、且つ各々のリソース残量が該伝送量を該比に対応する数で割った値より大きい時のみ、該分配を行うことを特徴としたパケット伝送装置。
【請求項４】
請求項１において、
複数のチャネルに共通して少なくとも１つ設けられ、該パケットデータを該ユーザデータに分割すると共に、該パケットデータの入力伝送レート以上の伝送レートで出力する第２変換手段をさらに備え、
該分配手段が、該パケットデータを、該第２変換手段に優先して与えると共に、該第２変換手段のリソース残量が該伝送量に対して不足したことを検出した時、該第２変換手段から該第１変換手段に切り替えて分配することを特徴としたパケット伝送装置。
【請求項５】
複数のチャネルの内の任意の１つのチャネルを介してパケットデータが入力された時、該複数のチャネルに共通して所定の数設けられ且つ各々が所定長のユーザデータに分割して出力する第１変換カードの内、その出力伝送レートと該パケットデータの入力伝送レートとの比に対応する数分だけ抽出すると共に、該パケットデータを、該抽出した第１変換カードに順次循環して分配する分配ステップと、
各第１変換カードから出力される該ユーザデータを、１つのチャネルに多重化して出力する多重ステップと、
を備えたことを特徴とするパケット伝送装置の制御方法。
【発明の詳細な説明】
【技術分野】
【０００１】
本発明は、パケット伝送装置及びその制御方法に関し、特に入力されるパケットデータを所定長のユーザデータに分割して出力するパケット伝送装置及びその制御方法に関するものである。
【背景技術】
【０００２】
上記のようなパケット伝送技術の従来例[1]及び[2]を、図16〜18を参照して以下に説明する。
【０００３】
図16に示す無線通信システム1は、これらの従来例[1]及び[2]が適用されるシステムの構成例を示しており、コアネットワーク10と、これに接続される２つの無線ネットワーク制御装置20_1及び20_2(以下、符号20で総称することがある。)と、無線ネットワーク制御装置20によって管理される４つの基地局30_1〜30_4(以下、符号30で総称することがある。)と、基地局30_1を介して無線ネットワーク制御装置20_1に呼を接続する移動機40とで構成されている。
【０００４】
この無線通信システム1における下りパケット伝送(コアネットワーク10→移動機40)は、同図に実線で示すように、無線ネットワーク制御装置20_1が、コアネットワーク10から受信したパケットデータSDU(Service Data Unit)を、RLC(Radio Link Control)プロトコルで規定されるサイズのユーザデータPDU(Protocol Data Unit)に分割すると共に、基地局30_1を介して移動機40に送出することにより行われる。
【０００５】
また、上りパケット伝送(移動機40→コアネットワーク10)は、同図に点線で示すように、無線ネットワーク制御装置20_1が、移動機40から基地局30_1を介して受信したユーザデータPDUを、パケットデータSDUに組み立ててコアネットワーク10に送出することにより行われる(例えば、特許文献1参照。)。
【０００６】
現在、このような無線通信システム1におけるパケット伝送規格として、高速な下りパケット伝送を可能とするHSDPA(High Speed Downlink Packet Access)方式の導入が検討されている。このHSDPA方式は、HS-DSCH(High Speed Downlink Shared Channel)と呼ばれる共通チャネルを用いてパケット伝送を行うものであり、現行のパケット伝送規格の最大伝送レート2Mbpsを上回る最大伝送レート14.4Mbpsでの通信を実現するものである。
【０００７】
従来例[1]：図17
図17は、図16に示した無線通信システム1の内、無線ネットワーク制御装置20の構成を強調して示したものである。
【０００８】
無線ネットワーク制御装置20は、コアネットワーク10にi個のチャネルCH1〜CHi(以下、符号CHで総称することがある。)を介して接続されたコアネットワークインタフェース部100と、コアネットワークインタフェース部100を介して受信するパケットデータSDUを自装置内部に転送するパケットデータ転送部200と、パケットデータ転送部200により転送されたパケットデータSDUを、所定長のユーザデータPDUに分割して出力するユーザデータ変換部300と、ユーザデータ変換部300から出力されたユーザデータPDUをHSDPA方式で規定されるフォーマットのフレーム(以下、HSDPAフレーム)FRに変換し、HS-DSCHを用いて出力するHSDPAフレーム変換部400と、HSDPAフレーム変換部400から出力されたHSDPAフレームFRを、基地局30を介して移動局40に送出する基地局インタフェース部500とで構成されている。
【０００９】
また、ユーザデータ変換部300は、チャネルCH1〜CHiの各々に対応して設けられた低速ユーザデータ変換カード310_1〜310_i(以下、符号310で総称することがある。)を備えている。なお、低速ユーザデータ変換カード310は、上述した現行のパケット伝送規格を適用した無線通信システム1において、一般的に用いられているものであり、そのパケット伝送規格の最大伝送レート2Mbps以内で伝送されるパケットデータSDUを、十分なデータ量だけ処理するためのリソース量(例えば、パケットデータSDUを一時的に格納しておくためのメモリ(図示せず)の容量等)を有している。
【００１０】
動作において、例えば図示のように、チャネルCH1を介して３つのパケットデータSDU1〜SDU3が入力して来た時、パケットデータ転送部200は、これらのパケットデータSDU1〜SDU3を、チャネルCH1に対応して設けられた低速ユーザデータ変換カード310_1に転送する。
【００１１】
これを受けた低速ユーザデータ変換カード310_1は、パケットデータSDU1〜SDU3を、それぞれ所定長のユーザデータPDU1_1〜PDU1_k、PDU2_1〜PDU2_l、及びPDU3_1〜PDU3_mに分割してHSDPAフレーム変換部400に与える。
【００１２】
そして、HSDPAフレーム変換部400は、ユーザデータPDUを受信する度毎に、所定数分のユーザデータPDUに所定のフレームヘッダHD_FRを付加したHSDPAフレームFRを生成し、基地局インターフェース部500を介して移動機40に送出する。
【００１３】
このような従来例[1]の場合、HSDPA方式の導入による伝送レートの高速化に伴って、低速ユーザデータ変換カード310の処理が輻輳するため、ユーザデータPDUの伝送遅延を発生させてしまう虞れがある。
【００１４】
この問題に対処するため、以下に説明する従来例[2]が既に提案されている。
【００１５】
従来例[2]：図18
図18に示す無線ネットワーク制御装置20は、図17に示した低速ユーザデータ変換カード310_1〜310_iを、それぞれ、HSDPA方式で規定される最大伝送レートでユーザデータPDUを出力することが可能な高速ユーザデータ変換カード320_1〜320_i(以下、符号320で総称することがある。)に置き換えて構成している。
【００１６】
この場合には、高速ユーザデータ変換カード320が、伝送遅延を発生させること無くユーザデータPDUを出力できるため、無線ネットワーク制御装置20は、移動機40へ高速にHSDPAフレームFRを送出することが可能になる。
【特許文献１】特開2004-194064号公報
【発明の開示】
【発明が解決しようとする課題】
【００１７】
上記の従来例[2]では、高速ユーザデータ変換カードを新たに用いる(増設する)ことでパケットの伝送レートを高速化することが可能であるが、このような高性能な変換カードは高価であるため、開発コストを増大させてしまうという課題がある。また、このような高速ユーザデータ変換カードは、現行の低速ユーザデータ変換カードのような既存リソースの有効利用という観点からも、出来るだけ使用しないことが望ましい。
【００１８】
従って、本発明は、高速なユーザデータ変換カードを増設しないでパケットの伝送レートを向上させることが可能なパケット伝送装置及びその制御方法を提供することを目的とする。
【課題を解決するための手段】
【００１９】
[1]上記の目的を達成するため、本発明の一態様に係るパケット伝送装置は、複数のチャネルに共通して所定の数設けられた第１変換手段と、任意の１つのチャネルを介してパケットデータが入力された時、該第１変換手段の内、その出力伝送レートと該パケットデータの入力伝送レートとの比に対応する数分だけ抽出すると共に、該パケットデータを、該抽出した第１変換手段に順次循環して分配する分配手段と、各第１変換手段から出力される所定長のユーザデータを、１つのチャネルに多重化して出力する多重手段とを備え、各第1変換手段が、該分配手段によって分配されたパケットデータを該ユーザデータに分割して出力するものであることを特徴とする。
【００２０】
すなわち、まず、第１変換手段は、複数のチャネルに共通して、少なくとも自分自身の出力伝送レートとパケットデータの入力伝送レートとの比に対応する数以上設けられていれば良く、上記の従来例で説明した低速ユーザデータ変換カード又は高速ユーザデータ変換カードのように各チャネル毎に設ける必要はない。
【００２１】
分配手段では、任意の１つのチャネルを介して該パケットデータが入力された時、該第１変換手段の内、その出力伝送レートと該パケットデータの入力伝送レートとの比に対応する数分だけ抽出すると共に、該パケットデータを、該抽出した第１変換手段に順次循環して分配する。これにより、該パケットデータの入力伝送レートに関わらず、各第１変換手段には、それぞれ自分自身の処理性能に適した伝送レートでパケットデータが与えられることになる。
【００２２】
従って、各第１変換手段では、該分配されたパケットデータをそれぞれ独立に所定長のユーザデータに分割し、伝送遅延を発生させること無く出力することができる。
【００２３】
また、各第１変換手段からは、該ユーザデータが並列に出力されることになるため、多重手段では、各第１変換手段から出力される該ユーザデータを、１つのチャネルに多重化して出力する。
【００２４】
このように、本発明の一態様によるパケット伝送装置においては、該第１変換手段は、該低速ユーザデータ変換カードの処理性能に準ずるものであれば良く、高速なユーザデータ変換カードを使用せずにパケットの伝送レートを向上させることが可能である。
【００２５】
[2]また、上記[1]において、該分配手段が、該比に対応する数分の第１変換手段を、そのリソース使用量が少ないものから順に抽出すると共に、該抽出した第１変換手段のリソース残量が該パケットデータ中に指定された伝送量より大きい時、該分配を行うようにしても良い。
【００２６】
[3]また、上記[1]において、該分配手段が、該比に対応する数分の第１変換手段を、そのリソース使用量が少ないものから順に抽出すると共に、該抽出した第１変換手段のリソース残量の合計が該パケットデータ中に指定された伝送量より大きく、且つ各々のリソース残量が該伝送量を該比に対応する数で割った値より大きい時のみ、該分配を行うようにしても良い。
【００２７】
上記[2]又は[3]の場合、リソース使用量が少ない(リソース残量が大きい)第１変換手段から優先的に、パケットデータを適宜分配することができるため、効率的且つ有効に第１変換手段のリソースを使用することが可能である。
【００２８】
[4]また、上記[1]において、該第１変換手段が、該分配されたパケットデータを該ユーザデータに分割する度毎に、各ユーザデータに自分自身の識別子を付す手段を含むようにしても良い。
【００２９】
すなわち、各第１変換手段からはユーザデータが並列且つ非同期に出力されるため、該多重手段により多重化されたユーザデータが、パケットデータの入力順に従って出力されない場合があるので、各第１変換手段では、分割したユーザデータに自分自身の識別子を付して出力する。
【００３０】
これにより、ユーザデータの受信側(例えば移動機)では、受信したユーザデータを、該識別子に従って振り分けしてから、元のパケットデータを容易に組み立てることが可能である。
【００３１】
[5]また、上記[1]において、該多重手段が、各第１変換手段から出力された該ユーザデータを、HSDPA(High Speed Downlink Packet Access)方式のフレームに変換するようにしても良い。
【００３２】
このように、ユーザデータ変換カードを高速なものに置き換えること無く、容易にHSDPA方式の導入に対応するパケット伝送装置を提供することが可能である。
【００３３】
[6]また、上記[1]において、複数のチャネルに共通して少なくとも１つ設けられ、該パケットデータを該ユーザデータに分割すると共に、該パケットデータの入力伝送レート以上の伝送レートで出力する第２変換手段をさらに備え、該分配手段が、該パケットデータを、該第２変換手段に優先して与えると共に、該第２変換手段のリソース残量が該伝送量に対して不足したことを検出した時、該第２変換手段から該第１変換手段に切り替えて分配するようにしても良い。
【００３４】
すなわち、該第１変換手段が、上記の従来例で説明した低速ユーザデータ変換カードのような低処理性能を有する時、上記の従来例で説明した高速ユーザデータ変換カードのような高処理性能の第２変換手段は、複数のチャネルに共通して少なくとも１つ設けられていれば良く、上記の従来例のように各チャネル毎に設ける必要はない。
【００３５】
そして、該分配手段では、該パケットデータを、該第２変換手段に優先して与えるが、該第２変換手段のリソース残量が該伝送量に対して不足したことを検出した時には、該第２変換手段から該第１変換手段に切り替えて分配する。
【００３６】
これにより、ユーザデータ変換カードを必要以上に増設すること無く、パケットの伝送レートを向上させることが可能である。
【００３７】
[7]また、本発明では、複数のチャネルの内の任意の１つのチャネルを介してパケットデータが入力された時、該複数のチャネルに共通して所定の数設けられ且つ各々が所定長のユーザデータに分割して出力する第１変換カードの内、その出力伝送レートと該パケットデータの入力伝送レートとの比に対応する数分だけ抽出すると共に、該パケットデータを、該抽出した第１変換カードに順次循環して分配する分配ステップと、各第１変換カードから出力される該ユーザデータを、１つのチャネルに多重化して出力する多重ステップとを備えたパケット伝送装置の制御方法が提供される。
【００３８】
このパケット伝送装置の制御方法においては、上記[1]で説明した通り、高速なユーザデータ変換カードを使用せずにパケットの伝送レートを向上させることが可能である。
【００３９】
[8]また、上記[7]において、該分配ステップが、該比に対応する数分の第１変換カードを、そのリソース使用量が少ないものから順に抽出すると共に、該抽出した第１変換カードのリソース残量の合計が該パケットデータ中に指定された伝送量より大きい時、該分配を行うようにしても良い。
【００４０】
[9]また、上記[7]において、該分配ステップが、該比に対応する数分の第１変換カードを、そのリソース使用量が少ないものから順に抽出すると共に、該抽出した第１変換カードのリソース残量の合計が該パケットデータ中に指定された伝送量より大きく、且つ各々のリソース残量が該伝送量を該比に対応する数で割った値より大きい時のみ、該分配を行うようにしても良い。
【００４１】
上記[8]又は[9]のパケット伝送装置の制御方法においては、上記[2]又は[3]で説明した通り、効率的且つ有効に第１変換カードのリソースを使用することが可能である。
【００４２】
[10]また、上記[7]において、該多重ステップが、各第１変換カードから出力された該ユーザデータを、HSDPA(High Speed Downlink Packet Access)方式のフレームに変換するようにしても良い。
【００４３】
このパケット伝送装置の制御方法においては、上記[5]で説明した通り、ユーザデータ変換カードを高速なものに置き換えること無く、容易にHSDPA方式の導入に対応することが可能である。
【００４４】
[11]また、上記[7]において、該分配ステップが、該パケットデータを、複数のチャネルに共通して少なくとも１つ設けられ且つ該ユーザデータに分割して該パケットデータの入力伝送レート以上の伝送レートで出力する第２変換カードに優先して与えると共に、該第２変換カードのリソース残量が該伝送量に対して不足したことを検出した時、該第２変換カードから該第１変換カードに切り替えて分配するようにしても良い。
【００４５】
このパケット伝送装置の制御方法においては、上記[6]で説明した通り、ユーザデータ変換カードを必要以上に増設すること無く、パケットの伝送レートを向上させることが可能である。
【発明の効果】
【００４６】
本発明によれば、高速なユーザデータ変換カードを増設せずにパケットの伝送レートを向上させることができ、以て開発コストを低減させ且つ既存リソースを有効利用することができる。
【００４７】
また、容易にHSDPA方式の導入に対応できるようにしたので、以て開発期間を短縮し早期にサービスを開始することができる。
【発明を実施するための最良の形態】
【００４８】
本発明に係るパケット伝送装置及びその制御方法の実施例[1]及び[2]を、図1〜15を参照して以下の順に説明する。
I. 実施例[1]：図1〜9
I.1. 構成例：図1
I.2. 動作例：図2〜9
I.2.1. パケットデータ分配先カード設定例：図2〜5
I.2.1.1 呼制御部600の動作例[1]：図2
I.2.1.2 リソース管理部700の動作例[1]：図3
I.2.1.3 低速ユーザデータ変換部300Lの動作例(1) (呼設定処理)：図4
I.2.1.4 パケットデータ分配制御部900の動作例[1]：図5
I.2.2. パケットデータ分配例：図6〜9
I.2.2.1 データ/フレームフロー例[1]：図5,6
I.2.2.2 パケットデータ転送部200の動作例[1]：図7
I.2.2.3 低速ユーザデータ変換部300Lの動作例(2) (ユーザデータ分割処理/パケットデータ組立処理)：図8
I.2.2.4 移動機のパケットデータ組立動作例：図9
II. 実施例[2]：図10〜15
II.1. 構成例：図10
II.2. 動作例：図11〜15
II.2.1. パケットデータ分配先カード設定例：図11〜13
II.2.1.1 呼制御部600の動作例[2]：図11
II.2.1.2 リソース管理部700の動作例[2] (高速ユーザデータ変換カード優先)：図12
II.2.1.3 パケットデータ分配制御部900の動作例[2]：図13
II.2.2. パケットデータ分配例：図14,15
II.2.2.1 データ/フレームフロー例[2]：図14
II.2.2.2 パケットデータ転送部200の動作例[2]：図15
【００４９】
I.実施例[1]：図1〜9
I.1.構成例：図1
図1に示す無線ネットワーク制御装置20は、本発明に係るパケット伝送装置及びその制御方法を実現したもので、従来の構成と同様、コアネットワーク10にi個のチャネルCH1〜CHiを介して接続されたコアネットワークインタフェース部100と、このコアネットワークインタフェース部100を介して受信するパケットデータSDUを自装置内部に転送するパケットデータ転送部200と、このパケットデータ転送部200により転送されたパケットデータSDUを、所定長のユーザデータPDUに分割して出力するユーザデータ変換部300と、このユーザデータ変換部300から出力されたユーザデータPDUをHSDPAフレームFRに変換し、HS-DSCHを用いて出力するHSDPAフレーム変換部400と、このHSDPAフレーム変換部400から出力されたHSDPAフレームFRを、基地局30を介して移動局40に送出する基地局インタフェース部500とを備えている。
【００５０】
また、ユーザデータ変換部300内の低速ユーザデータ変換部300Lには、従来とは異なり、チャネルCH1〜CHiに共通して所定の個数jの低速ユーザデータ変換カード310_1〜310_jが設けられている。
【００５１】
また、本実施例の無線ネットワーク制御装置20は、従来の構成に加えて、コアネットワークインタフェース部100を介して呼設定メッセージMSGを受信する呼制御部600と、低速ユーザデータ変換部300Lのリソース使用量をリソース管理データベースDBにて管理するリソース管理部700と、自装置が管理する局の情報を管理する局データ管理部800と、呼制御部600からの指示を受けてパケットデータSDUを分配すべき低速ユーザデータ変換カード310(以下、分配先カード)の識別子を、パケットデータ転送先カードテーブルTBL1及びパケットデータ分配先カードテーブルTBL2に設定するパケットデータ分配制御部900とを備えている。
【００５２】
なお、ここで、呼設定メッセージMSGは、パケットデータSDUの伝送に使用するチャネルCHのID(以下、チャネルID)、並びにそのパケットデータSDUの入力伝送レート及び伝送量等が指定されるものである。
【００５３】
I.2. 動作例：図2〜9
次に、本実施例の動作を説明するが、まずパケットデータSDUの分配先カードの設定例を、図2〜5を参照して説明する。そして、この設定に基づくパケットデータSDUの分配例を、図6〜9を参照して説明する。
【００５４】
I.2.1. パケットデータ分配先カード設定例：図2〜5
I.2.1.1 呼制御部600の動作例[1]：図2
図2に示すように、呼制御部600は、コアネットワーク10から呼設定メッセージMSGを受けた時(ステップS1)、呼設定メッセージMSG中のパケットデータSDUの伝送量から、パケットデータSDUを低速ユーザデータ変換カード310で処理させるのに必要なリソース量(以下、必要リソース量)を算出する(ステップS2)。
【００５５】
ここで、必要リソース量は、例えば、呼設定メッセージMSGにより指定された伝送量だけ入力されるパケットデータSDUを、一時的に格納しておくために必要な低速ユーザデータ変換カード310内のメモリ(図示せず)の容量等である。
【００５６】
そして、呼制御部600は、算出した必要リソース量分のリソース獲得要求REQ1をリソース管理部700に通知し、そのリソース獲得応答ACK1を待つ(ステップS3)。
【００５７】
また同時に、呼制御部600は、呼設定メッセージMSGからチャネルIDを抽出する(ステップS4)。
【００５８】
ここで、リソース獲得応答ACK1は、後述するように、この無線ネットワーク制御装置20におけるパケットデータSDUの分配制御の有無を示す情報と、パケットデータSDUの分配先とする低速ユーザデータ変換カードのID(以下、分配先カードID)と、各分配先カードにてそれぞれ確保可能なリソース量とを含むものである。
【００５９】
リソース管理部700からリソース獲得応答ACK1を受け且つそれが「分配制御有り」を示している時、呼制御部600は、上記のリソース獲得応答ACK1により通知された分配先カードID及びその確保可能なリソース量を指示する呼設定指示INS1を、低速ユーザデータ変換部300Lに与える(ステップS6)。これにより、低速ユーザデータ変換部300Lにおいて、後述する呼設定処理が実行されることになる。
【００６０】
そして、呼制御部600は、上記のステップS4において抽出したチャネルID、並びに上記のリソース獲得応答ACK1により通知された「分配制御有り」及び分配先カードIDを指示する分配設定指示INS2を、パケットデータ分配制御部900に与える(ステップS7)。これにより、パケットデータ分配制御部900において、後述するパケットデータ転送先カードテーブルTBL1及びパケットデータ分配先カードテーブルTBL2の設定が行われることになる。
【００６１】
また、上記ステップS5において、リソース管理部700からリソース獲得NGを受けた時(すなわち、後述するように、パケットデータSDUの伝送量や使用チャネルCHの数が極端に多い場合であって、新たに呼設定を行うことが出来ない時)、呼制御部600は、コアネットワーク10に呼設定NGを通知する(ステップS8)。
【００６２】
I.2.1.2 リソース管理部700の動作例[1]：図3
図3(1)に示すように、リソース管理部700は、呼制御部600から受けたリソース獲得要求REQ1から必要リソース量を抽出する(ステップS10)。
【００６３】
そして、リソース管理部700は、この無線ネットワーク制御装置20における分配制御の有効/無効及び分配先カード枚数を、局データ管理部800に問合せる(ステップS11)。
【００６４】
ここで、分配先カード枚数は、パケットデータSDUの入力伝送レートと低速ユーザデータ変換カード310の処理性能(すなわち、ユーザデータの出力伝送レート)との比から、例えば管理者により予め設定されるものである。
【００６５】
例えば、パケットデータSDUの入力伝送レートが上述したHSDPA方式の最大伝送レート“14.4Mbps”であり、低速ユーザデータ変換カード310によるユーザデータの出力伝送レートが上述した現行のパケット伝送規格の最大伝送レート“2Mbps”である場合、分配先カード枚数は、少なくとも“8枚”(≒14.4Mbps/2Mbps)に設定される。
【００６６】
局データ管理部800への問合せの結果、分配制御が有効であることを知った時(ステップS12)、リソース管理部700は、リソース管理データベースDBを参照し、分配先カード枚数分の低速ユーザデータ変換カード310を、そのリソース使用量が少ないものから順に抽出する(ステップS13)。
【００６７】
そして、リソース管理部700は、上記のステップS10で抽出した必要リソース量が、抽出した低速ユーザデータ変換カード310のリソース残量の合計の範囲に収まるか否かを判定し(ステップS14)、これを満たしている時、さらに必要リソース量を分配先カード枚数で割った値(すなわち、必要リソース量を、抽出した低速ユーザデータ変換カード310の各々で均等に確保する場合のリソース量)が、各低速ユーザデータ変換カード310のリソース残量の範囲に収まるか否かを判定する(ステップS15)。
【００６８】
例えば、必要リソース量が１つの低速ユーザデータ変換カード310のリソースの“45%”を占める量であり、且つ分配先カード枚数が“3枚”である場合であって、各低速ユーザデータ変換カード310のリソース使用量が、図3(2)に示すような状態である場合、リソース管理部700は、上記のステップS13において、リソース使用量が少ないものから３枚の低速ユーザデータ変換カード310_1(リソース使用率＝“55%”)、310_2(同“60%”)、及び310_3(同“68%”)を順に抽出する。
【００６９】
そして、必要リソース量“45%”が低速ユーザデータ変換カード310_1〜310_3のリソース残量(それぞれ、“45%”,”40%”, “32%”)の合計“117%”の範囲に収まり、且つ低速ユーザデータ変換カード310_1〜310_3の各々で均等に確保する場合のリソース量“15%”(＝必要リソース量“45%”/分配先カード枚数“3枚”)が低速ユーザデータ変換カード310_1〜310_3の各々のリソース残量“45%”,”40%”, “32%”の範囲に収まるため、リソース管理部700は、上記のステップS14及びS15において、リソースが獲得可能であると判定する。
【００７０】
この場合、リソース管理部700は、「分配制御有り」、分配先カードID(“310_1”〜“310_3”)、及び分配先カード枚数(“3枚”)を設定したリソース獲得応答ACK1を、呼制御部600に通知する(ステップS15)。
【００７１】
また、上記のステップS12において分配制御が無効である時、又は上記のステップS14及びS15のいずれかにおいてリソースが獲得出来ないと判定した時リソース管理部700は、呼制御部600にリソース獲得応答NGを通知する(ステップS16)。但し、各低速ユーザデータ変換カード310が、そのユーザデータの出力伝送レート以内で伝送されるパケットデータSDUを十分なデータ量だけ処理するためのリソース量を有しているため、このリソース獲得応答NGは、パケットデータSDUの伝送量や使用チャネルCHの数が極端に多い時にだけ通知されるものである。
【００７２】
I.2.1.3 低速ユーザデータ変換部300Lの動作例(1) (呼設定処理)：図4
図4に示すように、呼制御部600から呼設定指示INS1を受けた時(ステップS20)、低速ユーザデータ変換部300Lは、呼設定処理を実行する(ステップT1)。
【００７３】
すなわち、低速ユーザデータ変換部300Lは呼設定指示INS1により指示される分配先カードIDに対応する低速ユーザデータ変換カード310のリソースを確保(すなわち、図3(2)に示したリソース管理データベースDBのリソース使用量を更新)する(ステップS21)。
【００７４】
また、上記のステップS20において、呼設定指示INS1以外を受けた時(すなわち、コアネットワーク10からのパケットデータSDUを受けた時、又は移動機40からのユーザデータを受けた時)、低速ユーザデータ変換部300Lは、後述するユーザデータ分割処理又はパケットデータ組立処理を実行する(ステップT2)。
【００７５】
I.2.1.4 パケットデータ分配制御部900の動作例[1]：図5
図5(1)に示すように、呼制御部600から分配設定指示INS2を受け且つそれが「分配制御有り」を示している時(ステップS30)、パケットデータ分配制御部900は、同図(2)に示すパケットデータ転送先カードテーブルTBL1中の、分配設定指示INS2により指示されたチャネルIDに対応する「転送先カードID」に、「分配制御有り」を示す値(例えば、低速ユーザデータ変換カードのカードID“310_1”〜“310_j”とは異なる値“99”)を設定する(ステップS31)。
【００７６】
そして、パケットデータ分配制御部900は、同図(3)に示すパケットデータ分配先カードテーブルTBL2の空きインデックス番号(例えば“0”)を取得して(ステップS32)、パケットデータ転送先カードテーブルTBL1の「パケットデータ分配先カードテーブルのインデックス番号」に設定する(ステップS34)。
【００７７】
そして、パケットデータ分配制御部900は、パケットデータ分配先カードテーブルTBL2の対応するインデックス番号の「分配先カードID」に、分配設定指示INS2により指示された分配先カードIDを設定する(ステップS34)。
【００７８】
ここで、パケットデータ分配先カードテーブルTBL2中の「分配カウンタ」は、パケットデータSDUを低速ユーザデータ変換カード310に分配する度毎に、分配先カード枚数に対応する数を繰り返し計数(すなわち、例えば分配先カード枚数が“3枚”である場合、パケットデータSDUを低速ユーザデータ変換カード310に分配する度毎に、“1”→“2”→“3”→“1”→…を繰り返し計数)するものであり、「分配カウンタ」の値に対応する分配先カードIDの低速ユーザデータ変換カード310にパケットデータSDUが順次循環して分配されることになる。
【００７９】
また、上記のステップS30において、分配設定指示INS2以外を受けた時、又は分配設定指示INS2を受けた場合であっても、それが「分配制御有り」を示していない時、パケットデータ分配制御部900は、何ら処理を実行しない。
【００８０】
I.2.2. パケットデータ分配例：図6〜9
次に、上記のパケットデータ分配先カード設定に基づくパケットデータSDUの分配例を説明する。
【００８１】
I.2.2.1 データ/フレームフロー例[1]：図5,6
図6は、本実施例におけるパケットデータSDU、ユーザデータPDU、及びHSDPAフレームFRのフロー例を示している。
【００８２】
まず、この図6を参照して、パケットデータ分配の全体動作を説明する。
【００８３】
コアネットワーク10から、図示の例では、チャネルCH1〜CHiの内のチャネルCH1を介して３つのパケットデータSDU1〜SDU3が入力して来た時、パケットデータ転送部200は、上記のパケットデータ分配先カード設定により設定されたパケットデータ転送先カードテーブルTBL1及びパケットデータ分配先カードテーブルTBL2を参照し、パケットデータSDU1〜SDU3を分配先となる低速ユーザデータ変換カード310に分配する。
【００８４】
今、図5(2)及び(3)に示したように、テーブルTBL1及びテーブルTBL2中には、チャネルID＝“CH1”に対応する分配先カードIDとして低速ユーザデータ変換カード310_1〜310_3が設定されているものとすると、パケットデータ転送部200は、パケットデータSDU1〜SDU3を、低速ユーザデータ変換カード310_1〜310_3に順次分配する。
【００８５】
これらを受けた低速ユーザデータ変換カード310_1〜310_3は、パケットデータSDU1〜SDU3を、それぞれ、ユーザデータPDU1_1〜PDU1_k、PDU2_1〜PDU2_l、PDU3_1〜PDU3_mに分割すると共に、各ユーザデータPDUに自分自身のカードIDを付してHSDPAフレーム変換部400に与える。
【００８６】
HSDPAフレーム変換部400は、従来と同様、これらのユーザデータPDU1_1〜PDU1_k、PDU2_1〜PDU2_l、PDU3_1〜PDU3_mに所定のフレームヘッダHD_FRを付加したHSDPAフレームFRを生成し、基地局インタフェース部500を介して移動機40に送出する。
【００８７】
以下、これを実現するパケットデータ転送部200及び低速ユーザデータ変換部300Lの動作例、並びに移動機40におけるパケットデータSDUの組立動作例を、図7〜9を参照して説明する。
【００８８】
I.2.2.2 パケットデータ転送部200の動作例[1]：図7
図7に示すように、コアネットワーク10からコアネットワークインタフェース部100を介してパケットデータSDU1(図6参照。)を受信した時、パケットデータ転送部200は、受信したパケットデータSDU1からチャネルID＝“CH1”を抽出する(ステップS40)。
【００８９】
そして、パケットデータ転送部200は、図5(2)に示したパケットデータ転送先カードテーブルTBL1から、抽出したチャネルID＝“CH1”に対応する「転送先カードID」を取得する(ステップS41)。
【００９０】
上述した通り、この「転送先カードID」が“99”に設定されている場合は、「分配制御有り」を示すため(ステップS42)、パケットデータ転送部200は、テーブルTBL1の「パケットデータ分配先カードテーブルのインデックス番号」からパケットデータ分配先テーブルTBL2の参照先であるインデックス番号＝“0”を取得する(ステップS43)と共に、「分配カウンタ」の値＝“1”を取得する(ステップS44)。
【００９１】
そして、パケットデータ転送部200は、「分配カウンタ」の値に従って分配先カードID＝“310_1”を取得し(ステップS45)、受信したパケットデータSDU1を低速ユーザデータ変換カード310_1に対して転送する(ステップS46)。
【００９２】
そして、パケットデータ転送部200は、「分配カウンタ」の値を“1”だけインクリメントする(ステップS47)。
【００９３】
これにより、「分配カウンタ」の値が“2”となるため、次のパケットデータSDU2の受信時、パケットデータSDU2が、低速ユーザデータ変換カード310_2に対して転送されることになる。また、同様にして、パケットデータSDU3は、低速ユーザデータ変換カード310_3に対して転送される。
【００９４】
その後、パケットデータ転送部200は、「分配カウンタ」の値が分配先カード枚数(この例では“3”)に達したか否かを判定し(ステップS48)、分配先カード枚数に達していると判定した時には、「分配カウンタ」を初期化(値を“1”に設定)する(ステップS49)。
【００９５】
これにより、チャネルCH1を介してパケットデータSDU3の後に続くパケットデータSDU(図示せず)が入力して来ている場合や、新たにパケットデータSDUが入力して来た場合、それらのパケットデータSDUは、上記と同様にして、低速ユーザデータ変換カード310_1〜310_3に順次循環して転送されることになる。
【００９６】
また、上記のステップS42において、「転送先カードID」が“99”に設定されていない場合、パケットデータ転送部200は、何ら処理を実行しない。
【００９７】
I.2.2.3 低速ユーザデータ変換部300Lの動作例(2) (ユーザデータ分割処理/パケットデータ組立処理)：図8
図8に示すように、パケットデータ転送部200からパケットデータSDUを受けた時、又は移動機40からのユーザデータPDUを受けた(すなわち、上りパケット伝送が行われた)時(ステップS60)、低速ユーザデータ変換部300Lは、ユーザデータ分割処理又はパケットデータ組立処理を実行する(ステップT2)。
【００９８】
すなわち、パケットデータSDUを受けた時、低速ユーザデータ変換部300L内の低速ユーザデータ変換カード310は、パケットデータSDUをユーザデータPDUに分割すると共に、自分自身のカードIDを各ユーザデータPDUに付す(ステップS61)。
【００９９】
ここで、ユーザデータPDUは、同図(2)に示すように、パケットデータSDUを所定長のデータDTに分割し、各データDTに所定のヘッダHDを付加することにより生成されるものである。例えば、低速ユーザデータ変換カード310_1は、パケットデータSDU1をユーザデータPDU1_1〜PDU1_kに分割すると共に、各ヘッダHDの空き領域に共通にカードID＝“310_1”を付す。
【０１００】
そして、低速ユーザデータ変換カード310は、上記のステップS62においてカードIDを付したユーザデータPDUをHSDPAフレーム変換部400に与える(ステップS62)。
【０１０１】
これを受けたHSDPAフレーム変換部400は、ユーザデータPDUを、その受信順且つHSDPA方式で規定される所定の数単位でペイロードPLとし、このペイロードPLに所定のフレームヘッダHD_FR及びCRC(Cyclic Redundancy Checking)を付加(必要に応じて各ユーザデータPDUにパディングPADも付加)したHSDPAフレームFRを生成し、基地局インタフェース部500を介して移動機40に送出する。
【０１０２】
また、上記のステップS60において、移動機40からのユーザデータPDUを受けた時、低速ユーザデータ変換カード310は、従来と同様、ユーザデータPDUをパケットデータSDUに組み立て(ステップS63)、組み立てたパケットデータSDUをパケットデータ転送部200に与える(ステップS64)。
【０１０３】
これを受けたパケットデータ転送部200は、パケットデータSDUをコアネットワークインタフェース部100を介してコアネットワーク10に送出する。
【０１０４】
I.2.2.4 移動機のパケットデータ組立動作例：図9
移動機40は、図9に示すように、無線ネットワーク制御装置20からHSDPAフレームFR を受信する度毎に、受信したHSDPAフレームFRからフレームヘッダHD_FR及びCRC、並びにパディングPADを取り除いてユーザデータPDUを抽出する。
【０１０５】
今、図示のように、抽出したユーザデータPDUが、ユーザデータPDU1_1→PDU2_1→PDU3_1→PDU1_2→…→PDU1_k→PDU2_l→PDU3_mの順で受信されたものである場合(すなわち、ユーザデータPDUがパケットデータSDUの入力順に従っていない場合)、移動機40は、ユーザデータPDU1_1〜PDU1_k、PDU2_1〜PDU2_l、及びPDU3_1〜PDU3_mを、それぞれのヘッダHDの空き領域に付されているカードID“310_1”〜“310_3”に従って振り分けしてから、パケットデータSDU1〜SDU3を組み立てることができる。
【０１０６】
なお、図示しないが、移動機40は、同一のカードIDが付されているが、例えば異なる複数のパケットデータSDUから分割されたユーザデータPDUを受信する場合(すなわち、同一の低速ユーザデータ変換カード310に複数のパケットデータSDUが分配された場合)がある。この場合であっても、移動機40は、上記と同様に、受信したユーザデータPDUをヘッダHDの空き領域に付されているカードIDに従って振り分けした後、同ヘッダHD中に従来と同様に設定されているパケットデータ長や分割されたユーザデータの終端を示す識別子等に基づいて、これらのパケットデータSDUを別のものとして組み立てることができる。
【０１０７】
II.実施例[2]：図10〜15
II.1.構成例：図10
図10に示す無線ネットワーク制御装置20は、上記の実施例[1]の構成に加えて、ユーザデータ変換部300が高速ユーザデータ変換部300Hを備えている点が異なっている。また、この高速ユーザデータ変換部300Hは、従来とは異なり、チャネルCH1〜CHiに各々が共通して設けられた３つの高速ユーザデータ変換カード320_1〜320_3を備えている。
【０１０８】
II.2. 動作例：図11〜15
次に、本実施例の動作を説明するが、まずパケットデータSDUの分配先カードの設定例を、図11〜13を参照して説明する。そして、この設定に基づくパケットデータSDUの分配例を、図14及び15を参照して説明する。
【０１０９】
なお、低速ユーザデータ変換部300Lの動作は、上記の実施例[1]と同様であるためその説明を省略する。
【０１１０】
II.2.1. パケットデータ分配先カード設定例：図11〜13
II.2.1.1 呼制御部600の動作例[2]：図11
図11に示す呼制御部600の処理フローは、図2に示したものに加えて、ステップS70〜S72の処理を追加した点が異なっている。
【０１１１】
すなわち、リソース管理部700からリソース獲得応答ACK1を受け且つそれが「分配制御無し」を示している時(ステップS70)、呼制御部600は、高速ユーザデータ変換部300Hに呼設定指示INS1を与える(ステップS71)。
【０１１２】
「分配制御無し」(これは、後述するように「分配制御有り」より優先的に設定される。)の場合、リソース獲得応答ACK1には、パケットデータSDUの転送先とする１つの高速ユーザデータ変換カードのID(以下、転送先カードID)と、その転送先カードにて確保可能なリソース量とが設定されているため、呼制御部600は、呼設定指示INS1としてこれらの転送先カードID及びリソース量を指示する。
【０１１３】
これにより、高速ユーザデータ変換部300Hにおいて、呼設定処理(すなわち、呼設定指示INS1により指示された転送先カードIDに対応する高速ユーザデータ変換カード320のリソースの確保)が実行されることになる(図示せず)。
【０１１４】
そして、呼制御部600は、上記の実施例[1]と同様にして抽出したチャネルID、上記のリソース獲得応答ACK1により通知された「分配制御無し」及び転送先カードIDを指示する分配設定指示INS2を、パケットデータ分配制御部900に与える(ステップS72)。
【０１１５】
これにより、パケットデータ分配制御部900において、後述するパケットデータ転送先カードテーブルTBL1の設定が行われることになる。
【０１１６】
II.2.1.2 リソース管理部700の動作例[2] (高速ユーザデータ変換カード優先)：図12
図12(1)に示す呼制御部600の処理フローは、図3(1)に示したものに加えて、ステップS80〜S82の処理を追加したものであり、図12(2)に示すリソース管理データベースDBには、図3(2)に示したものに加えて、高速ユーザデータ変換部300Hのリソース使用量が追加されている点が異なっている。
【０１１７】
すなわち、ステップS10において、呼制御部600から受けたリソース獲得要求REQ1から必要リソース量を抽出した後、リソース管理部700は、リソース管理データベースDB中の高速ユーザデータ変換部300Hのリソース使用量を優先的に参照する(ステップS80)。
【０１１８】
そして、リソース管理部700は、高速ユーザデータ変換部300H内の高速ユーザデータ変換カード320_1〜320_3のリソース使用量から、リソースが獲得可能であるか否か(すなわち、上記のステップS10で抽出した必要リソース量が、高速ユーザデータ変換カード320_1〜320_3のいずれかのリソース残量に収まるか否か)を判定する(ステップS81)。
【０１１９】
上記のステップS81において、リソースが獲得可能であると判定した時、リソース管理部700は、「分配制御無し」及び転送先カードIDを設定したリソース獲得応答ACK1を、呼制御部600に通知する(ステップS82)。
【０１２０】
一方、リソースが獲得出来ないと判定した時、リソース管理部700は、リソース管理データベースDBの参照先を、高速ユーザデータ変換部300Hのリソース使用量から低速ユーザデータ変換部300Lのリソース使用量に切り替え、上記の実施例[1]と同様の処理を実行する。
【０１２１】
II.2.1.3 パケットデータ分配制御部900の動作例[2]：図13
図13に示すパケットデータ分配制御部900の処理フローは、図5に示したものに加えて、ステップS90の処理を追加した点が異なっている。
【０１２２】
すなわち、分配設定指示INS2を受け且つそれが「分配制御無し」を示している時、パケットデータ分配制御部900は、同図(2)に示すパケットデータ転送先カードテーブルTBL1中の、分配設定指示INS2により指示されたチャネルIDに対応する「転送先カードID」に、同じく分配設定指示INS2により指示された転送先カードIDを設定する(ステップS90)。
【０１２３】
II.2.2. パケットデータ分配例：図14,15
次に、上記のパケットデータ分配先カード設定に基づくパケットデータSDUの分配例を説明する。
【０１２４】
II.2.2.1 データ/フレームフロー例[2]：図14
図14は、本実施例におけるパケットデータSDU、ユーザデータPDU、及びHSDPAフレームFRのフロー例を示している。
【０１２５】
まず、この図14を参照して、パケットデータ分配の全体動作を説明する。
【０１２６】
コアネットワーク10から、図示の例では、チャネルCH1〜CHiの内のチャネルCH3を介して３つのパケットデータSDU1〜SDU3が入力して来た時、パケットデータ転送部200は、上記のパケットデータ分配先カード設定により設定されたパケットデータ転送先カードテーブルTBL1を参照し、パケットデータSDU1〜SDU3を転送先となる高速ユーザデータ変換カード320に転送する。
【０１２７】
今、図13(2)に示したように、テーブルTBL1中には、チャネルID＝“CH3”に対応する転送先カードIDとして高速ユーザデータ変換カード320_1が設定されているものとすると、パケットデータ転送部200は、パケットデータSDU1〜SDU3を、高速ユーザデータ変換カード320_1に転送する。
【０１２８】
これらを受けた高速ユーザデータ変換カード320_1は、従来と同様、パケットデータSDU1〜SDU3を、それぞれユーザデータPDU1_1〜PDU1_k、PDU2_1〜PDU2_l、PDU3_1〜PDU3_mに分割してHSDPAフレーム変換部400に与える。これにより、HSDPAフレーム変換部400により生成されるHSDPAフレームFRが、基地局インタフェース部500を介して移動機40に送出されることになる。
【０１２９】
また、高速ユーザデータ変換カード320_1〜320_3のいずれのリソースも不足している場合(すなわち、パケットデータ転送先カードテーブルTBL1中に、転送先カードIDとして「分配制御有り」(“99”)が設定されている場合)は、上記の実施例[1]と同様にして、パケットデータSDU1〜SDU3が、低速ユーザデータ変換カード310に分配されることになる。
【０１３０】
以下、これを実現するパケットデータ転送部200の動作例を、図15を参照して説明する。なお、移動機40におけるパケットデータSDUの組立動作は、従来と同様であるためその説明は省略する。
【０１３１】
II.2.2.2 パケットデータ転送部200の動作例[2]：図15
図15に示すパケットデータ転送部200の処理フローは、図7に示したものに加えて、ステップS100の処理を追加した点が異なっている。
【０１３２】
すなわち、図14に示したように、コアネットワーク10からチャネルCH3を介してパケットデータSDU1〜SDU3を受信した時、パケットデータ転送部200は、ステップS41において、図13(2)に示したパケットデータ転送先カードテーブルTBL1から、チャネルID＝“CH3”に対応する「転送先カードID」＝“320_1”を取得する。
【０１３３】
この場合、ステップS42において、「転送先カードID」が“99”に設定されていないと判定されるため、パケットデータ転送部200は、受信したパケットデータSDU1〜SDU3を高速ユーザデータ変換カード320_1に対して転送する(ステップS100)。
【０１３４】
また、「転送先カードID」が“99”に設定されている場合、パケットデータ転送部200は、上記の実施例[1]と同様、ステップS43〜S49を実行してパケットデータSDU1〜SDU3を低速ユーザデータ変換カード310に分配する。
【０１３５】
なお、上記実施例によって本発明は限定されるものではなく、特許請求の範囲の記載に基づき、当業者によって種々の変更が可能なことは明らかである。
【０１３６】
（付記１）
複数のチャネルに共通して所定の数設けられた第１変換手段と、
任意の１つのチャネルを介してパケットデータが入力された時、該第１変換手段の内、その出力伝送レートと該パケットデータの入力伝送レートとの比に対応する数分だけ抽出すると共に、該パケットデータを、該抽出した第１変換手段に順次循環して分配する分配手段と、
各第１変換手段から出力される所定長のユーザデータを、１つのチャネルに多重化して出力する多重手段と、
を備え、各第1変換手段が、該分配手段によって分配されたパケットデータを該ユーザデータに分割して出力するものであることを特徴とするパケット伝送装置。
（付記２）付記１において、
該分配手段が、該比に対応する数分の第１変換手段を、そのリソース使用量が少ないものから順に抽出すると共に、該抽出した第１変換手段のリソース残量が該パケットデータ中に指定された伝送量より大きい時、該分配を行うことを特徴としたパケット伝送装置。
（付記３）付記１において、
該分配手段が、該比に対応する数分の第１変換手段を、そのリソース使用量が少ないものから順に抽出すると共に、該抽出した第１変換手段のリソース残量の合計が該パケットデータ中に指定された伝送量より大きく、且つ各々のリソース残量が該伝送量を該比に対応する数で割った値より大きい時のみ、該分配を行うことを特徴としたパケット伝送装置。
（付記４）付記１において、
該第１変換手段が、該分配されたパケットデータを該ユーザデータに分割する度毎に、各ユーザデータに自分自身の識別子を付す手段を含むことを特徴としたパケット伝送装置。
（付記５）付記１において、
該多重手段が、各第１変換手段から出力された該ユーザデータを、HSDPA(High Speed Downlink Packet Access)方式のフレームに変換することを特徴としたパケット伝送装置。
（付記６）付記１において、
複数のチャネルに共通して少なくとも１つ設けられ、該パケットデータを該ユーザデータに分割すると共に、該パケットデータの入力伝送レート以上の伝送レートで出力する第２変換手段をさらに備え、
該分配手段が、該パケットデータを、該第２変換手段に優先して与えると共に、該第２変換手段のリソース残量が該伝送量に対して不足したことを検出した時、該第２変換手段から該第１変換手段に切り替えて分配することを特徴としたパケット伝送装置。
（付記７）
複数のチャネルの内の任意の１つのチャネルを介してパケットデータが入力された時、該複数のチャネルに共通して所定の数設けられ且つ各々が所定長のユーザデータに分割して出力する第１変換カードの内、その出力伝送レートと該パケットデータの入力伝送レートとの比に対応する数分だけ抽出すると共に、該パケットデータを、該抽出した第１変換カードに順次循環して分配する分配ステップと、
各第１変換カードから出力される該ユーザデータを、１つのチャネルに多重化して出力する多重ステップと、
を備えたことを特徴とするパケット伝送装置の制御方法。
（付記８）付記７において、
該分配ステップが、該比に対応する数分の第１変換カードを、そのリソース使用量が少ないものから順に抽出すると共に、該抽出した第１変換カードのリソース残量が該パケットデータ中に指定された伝送量より大きい時、該分配を行うことを特徴としたパケット伝送装置の制御方法。
（付記９）付記７において、
該分配ステップが、該比に対応する数分の第１変換カードを、そのリソース使用量が少ないものから順に抽出すると共に、該抽出した第１変換カードのリソース残量の合計が該パケットデータ中に指定された伝送量より大きく、且つ各々のリソース残量が該伝送量を該比に対応する数で割った値より大きい時のみ、該分配を行うことを特徴としたパケット伝送装置の制御方法。
（付記１０）付記７において、
該多重ステップが、各第１変換カードから出力された該ユーザデータを、HSDPA(High Speed Downlink Packet Access)方式のフレームに変換することを特徴としたパケット伝送装置の制御方法。
（付記１１）付記７において、
該分配ステップが、該パケットデータを、複数のチャネルに共通して少なくとも１つ設けられ且つ該ユーザデータに分割して該パケットデータの入力伝送レート以上の伝送レートで出力する第２変換カードに優先して与えると共に、該第２変換カードのリソース残量が該伝送量に対して不足したことを検出した時、該第２変換カードから該第１変換カードに切り替えて分配することを特徴としたパケット伝送装置の制御方法。
【図面の簡単な説明】
【０１３７】
【図１】本発明に係るパケット伝送装置及びその制御方法の実施例[1]を示したブロック図である。
【図２】本発明の実施例[1]に用いる呼制御部の動作例を示したフローチャート図である。
【図３】本発明の実施例[1]に用いるリソース管理部の動作例を示したフローチャート図である。
【図４】発明に係るパケット伝送装置及びその制御方法に用いる低速ユーザデータ変換部の動作例(1)を示したフローチャート図である。
【図５】本発明の実施例[1]に用いるパケットデータ分配制御部の動作例を示したフローチャート図である。
【図６】本発明の実施例[1]のデータ/フレームフローを示したブロック図である。
【図７】本発明の実施例[1]に用いるパケットデータ転送部の動作例を示したフローチャート図である。
【図８】本発明に係るパケット伝送装置及びその制御方法に用いる低速ユーザデータ変換部の動作例(2)を示したフローチャート図である。
【図９】移動機のパケットデータ組立動作例を示したブロック図である。
【図１０】本発明に係るパケット伝送装置及びその制御方法の実施例[2]を示したブロック図である。
【図１１】本発明の実施例[2]に用いる呼制御部の動作例を示したフローチャート図である。
【図１２】本発明の実施例[2]に用いるリソース管理部の動作例を示したフローチャート図である。
【図１３】本発明の実施例[2]に用いるパケットデータ分配制御部の動作例を示したフローチャート図である。
【図１４】本発明の実施例[2]のデータ/フレームフローを示したブロック図である。
【図１５】本発明の実施例[2]に用いるパケットデータ転送部の動作例を示したフローチャート図である。
【図１６】従来の無線通信システムの構成例を示したブロック図である。
【図１７】パケット伝送技術の従来例[1]を示したブロック図である。
【図１８】パケット伝送技術の従来例[2]を示したブロック図である。
【符号の説明】
【０１３８】
1  無線通信システム
10  コアネットワーク
20, 20_1〜20_2  無線ネットワーク制御装置
30, 30_1〜30_4  基地局
40  移動機
100  コアネットワークインタフェース部
200  パケットデータ転送部
300  ユーザデータ変換部
300L  低速ユーザデータ変換部
300H  高速ユーザデータ変換部
310, 310_1〜310_i, 310_j   低速ユーザデータ変換カード
320, 320_1〜320_i  高速ユーザデータ変換カード
400  HSDPAフレーム変換部
500  基地局インタフェース部
600  呼制御部
700  リソース管理部
800  局データ管理部
900  パケットデータ分配制御部
SDU, SDU1〜SDU3  パケットデータ
PDU, PDU1〜PDU3, PDU1_1〜PDU1_k, PDU2_1〜PDU2_l, PDU3_1〜PDU3_m  パケットデータ
HD  ヘッダ
DT  データ
FR  HSDPAフレーム
HD_FR  フレームヘッダ
PL  ペイロード
PAD  パディング
TBL1  パケットデータ転送先カードテーブル
TBL2  パケットデータ分配先カードテーブル
DB  リソース管理データベース
MSG  呼設定メッセージ
REQ1  リソース獲得要求
ACK1  リソース獲得応答
INS1  呼設定指示
INS2  分配設定指示
図中、同一符号は同一又は相当部分を示す。
【図１】
2008042363.tif 000003
【図２】
2008042363.tif 000004
【図３】
2008042363.tif 000005
【図４】
2008042363.tif 000006
【図５】
2008042363.tif 000007
【図６】
2008042363.tif 000008
【図７】
2008042363.tif 000009
【図８】
2008042363.tif 000010
【図９】
2008042363.tif 000011
【図１０】
2008042363.tif 000012
【図１１】
2008042363.tif 000013
【図１２】
2008042363.tif 000014
【図１３】
2008042363.tif 000015
【図１４】
2008042363.tif 000016
【図１５】
2008042363.tif 000017
【図１６】
2008042363.tif 000018
【図１７】
2008042363.tif 000019
【図１８】
2008042363.tif 000020